(57)【特許請求の範囲】
【請求項１】
建築物の壁面に上下に間隔を置いて設けたレールと、これらレールの縁をスライド可能に挿入する溝を上下に形成した石材パネルと、それら上下のレール間に挿入した上下の石材パネル間の目地に充填された充填材とを備え、前記石材パネルの左右縁に縦溝を形成し、左右方向に隣り合う上下の複数の石材パネルの前記縦溝にスライド部材を挿入し、左右の石材パネル間の目地に充填材を充填し、前記レールに前記スライド部材を挿通する孔を設けたことを特徴とする石材パネルの取り付け構造。
【請求項２】
前記レールは、前記壁面に固定する固定フランジ部と、この固定フランジ部と平行に設けられた外フランジ部と、前記固定フランジ部と前記外フランジ部とを連結する前後方向に延びるウエブ部とを備え、前記外フランジ部の縁が前記溝にスライド可能に挿入され、前記ウエブ部に通気孔を穿設したことを特徴とする請求項１記載の石材パネルの取り付け構造。
【発明の詳細な説明】
【０００１】
【発明の属する技術分野】
本発明は、建築物の壁面等に石材パネルを取付ける石材パネルの取付構造に関する。
【０００２】
【発明が解決しようとする課題】
従来、この種のものとして、実開昭６３−１９０４２２号公報には、大理石、花崗岩、タイル等の方形状石質薄板の裏面に、同形の硬質木片セメント板、アルミニウム板、金属板等の対火性補強板を、無機材を主体とする耐火性の接着剤にて、斜め方向に一定量ずらせて接着固定することによりＬ状突出部を形成すると共に、この突出部と対称位置にＬ状のヌスミを形成し、このＬ状突出部に取付孔を設けてなる石質薄板状パネルが提案されている。
【０００３】
しかし、この石質薄板状パネルでは、取付孔にビスを挿通し、このビスにより１枚ずつ固定しなければならないため、施工が煩雑となり、また、壁面に直接取付けるものであるから、パネルと壁面との間に結露が発生し易い構造となる。
【０００４】
そこで、実開平６−１５７０号公報には、下地構造体に外側へ突出するように固定した取付金具に、石材パネルに裏面側に突出するように設けた取付金具を連結し、該石材パネルを前記下地構造体の表面に支持するようにした石材パネルの取付構造があり、この取付構造では、パネルと下地構造体との間に空間があるから、この空間に通気性を持たせれば、結露を防止することができる。
【０００５】
しかし、この取付構造では、上部側に配置した石材パネルの下端面及び下部側に配置した石材パネルの上端面に設けた取付孔に、ピンを挿入（公報第０００７段）する構造であるから、上下に隣合うパネルの隙間をコーキング処理などにより埋めてやらなければならず、ピンを用いた取付作業及びコーキング作業が煩雑となる。そして、上下のパネルはピンにより連結されるが、左右に隣合うパネルは何等連結されておらず、不安定であり、左右のパネルの隙間を埋めるコーキング作業も煩雑であり、さらに、左右のパネル間の目地の気密性に劣る面もある。
【０００６】
そこで、本発明は、石材パネルを安定して固定することができ、作業性に優れた石材パネルの取付構造を提供することを目的とする。
【０００７】
【課題を解決するための手段】
請求項１の発明は、建築物の壁面に上下に間隔を置いて設けたレールと、これらレールの縁をスライド可能に挿入する溝を上下に形成した石材パネルと、それら上下のレール間に挿入した上下の石材パネル間の目地に充填された充填材とを備え、前記石材パネルの左右縁に縦溝を形成し、左右方向に隣り合う上下の複数の石材パネルの前記縦溝にスライド部材を挿入し、左右の石材パネル間の目地に充填材を充填し、前記レールに前記スライド部材を挿通する孔を設けたものである。
【０００８】
この請求項１の構成によれば、上下のレールの縁に溝を合わせ、石材パネルを左右方向にスライドさせて所定の位置に取り付け、左右方向に隣り合う石材パネルの目地に充填材を充填して仕上げることができる。
また、石材パネルを上下のレール所定位置に配置した後、左右に隣り合う石材パネルの左右の縁の溝にスライド部材を挿入し、このスライド部材をレールに係止することにより、左右に隣り合う石材パネルをスライド部材により連結することができる。また、左右の石材パネルの間の目地がスライド部材により塞がれているから、充填材の充填を容易に行うことができる。
さらに、スライド部材は上下の複数の石材パネルの縦縁に係入するから、１つのスライド部材を用いて複数の石材パネルの左右を効率よく位置決めできる。
また、レールの孔にスライド部材を挿通することにより、該スライド部材をレールに係止することができる。
【０００９】
また、石材パネルを上下レールの所定位置に配置した後、左右に隣合う石材パネルの左右の縁の溝にスライド部材を挿入し、このスライド部材をレールに係止することにより、左右に隣合う石材パネルをスライド部材により連結することができる。また、左右の石材パネルに目地がスライド部材により塞がれているから、充填材の充填を容易に行うことができる。
【００１０】
さらに、スライド部材は上下の複数の石材パネルの縦縁に係入するから、１つのスライド部材を用いて複数の石材パネルの左右を効率よく位置決めできる。
【００１３】
また、請求項３の発明は、前記レールに前記スライド部材を挿通する挿通係止部を設けたものである。
【００１４】
この請求項３の構成によれば、レールの挿通係止部にスライド部材を挿通することにより、該スライド部材をレールに係止することができる。
【００１５】
【発明の実施形態】
以下、本発明の実施形態を添付図面を参照して説明する。図１〜図７は、本発明の一実施形態を示す。同図に示すように、壁面１に左右方向のレール２，２を等間隔で複数段設ける。このレール２は壁面１に固定する固定フランジ部３と、この固定フランジ部３と平行に設けた外フランジ部４とを前後方向のウエブ部５により連結してなり、前記固定フランジ部３が固定手段たる複数のアンカー６により壁面１に固定される。石材パネル７は大理石や花崗岩などからなり、その上下縁には前記外フランジ部４の縁をスライド可能に挿入する溝８が全長に渡って形成され、また、その左右縁には、前記溝８に連続する縦溝９が形成され、この縦溝９は前記溝８とほぼ同一幅である。また、前記ウエブ部５には複数の通気孔10が形成され、これら通気孔10により壁面１と石材パネル７との間の断熱空間Ｋにおける通気性を確保している。
【００１６】
上下に隣合う石材パネル７，７の間には目地11が形成され、この目地11は前記ウエブ部５の厚さより多少大きく形成されている。また、前記レール２の外フランジ部４を所定幅で切り欠き、この切り欠きの外側を丸棒などの係止部材12により塞いで、板片状のスライド部材13が挿入係止する係止部たる係止孔14を形成し、この係止孔14の左右幅は前記スライド部材13とほぼ等しく、また、スライド部材13の厚さは係止孔14の前後幅とほぼ等しく、すなわち、スライド部材13の厚さは前記外フランジ部４の厚さとほぼ等しい。そして、前記係止孔14は、左右に隣合う石材パネル７，７の目地16位置に対応して形成されている。そして、前記上下の石材パネル７，７間に目地11に充填材15が充填され、さらに、前記左右の石材パネル７，７間の目地16に充填材15が充填される。
【００１７】
また、図２に示すように、最上部に設ける石材パネル７は、上縁前面側に上延設部21を設け、外フランジ部４を隠し、また、最下部に設ける石材パネル７は、下縁前面側に下延設部22を設け、外フランジ部４を隠している。さらに、図７の平断面図に示すように、壁面１の凸角部１Ｔでは、一方の石材パネル７の後面と他方の石材パネル７の左右の縁との間に目地16Ａを形成し、この目地16Ａを充填材15により塞ぐ。また、この場合は、一方のレール２の端部は凸角部１Ｔまでとし、他方のレール２の端部を外方に張り出した張出端部２Ｈが一方の石材パネル７の後面位置まで伸びている。また、壁面１の凹角部１Ｕでは、一方の石材パネル７の前面に他方の石材パネル７の左右の縁をその厚さの略２分の１程度重ね合せて突合せ、この左右の縁の前面側角部に切欠目地部23を形成してこの切欠目地部23に充填材15を充填する。また、一方の壁面１に固定されたレール２の端部２Ｔは、凹角部１Ｕを挟む他方の壁面１まで延設されている。
【００１８】
次に、前記石材パネル７の施工方法につき説明すると、工場において、石材パネル７に溝８及び縦溝９を形成しておく。石材パネル７の上下幅に対応して、壁面１に上下複数段にレール２，２…を固定する。そして、レール２，２の端部からその外フランジ部４の縁に溝８を合わせてレール２，２間に石材パネル７を嵌め入れ、スライドさせて所定の位置まで移動させる。そして、レール２の端部側の石材パネル７の縁、すなわちスライド方向後側の縁を目地16位置に合わせ、上方から係止孔14にスライド部材13を嵌め入れると、該スライド部材13が縦溝９に挿入され、その石材パネル７を逆方向にスライドできなくなる。そして、スライド部材13を係止した目地16位置に、次の石材パネル７をスライドして位置決めし、この次の石材パネル７の縦溝９に、係止孔14に係止されたスライド部材13を係入する。このようにして石材パネル７をレール２，２にスライドさせて嵌め入れ、さらに、石材パネル７の左右の縦溝９，９にスライド部材13を係入し、該スライド部材13により石材パネル７，７の左右をレール２に固定する。そして、目地11，16に、シール性を有する目地材である充填材15を充填して仕上げる。この場合、目地11の後には外フランジ部４，目地16の後側にはスライド部材13があるから、充填材15の充填作業を容易に行うことができる。
【００１９】
このように本実施例では、請求項１に対応して、建築物の壁面１に上下に間隔を置いて設けたレール２，２と、これらレール２の外フランジ部４の縁をスライド可能に挿入する溝８を上下に形成した石材パネル７と、それら上下のレール２，２間に挿入した上下の石材パネル７，７間の目地11に充填された充填材15とを備え、石材パネル７，７の左右縁に縦溝９，９を形成し、左右方向に隣合う上下の複数の石材パネル７，７，７，７の縦溝９，９，９，９にスライド部材13を挿入し、左右の石材パネル７，７間の目地16に充填材15を充填したものであるから、上下のレール２，２の外フランジ部４の縁に溝８を合わせ、石材パネル７を左右方向にスライドさせて所定の位置に取付け、上下方向に隣合うパネル７，７の目地11に充填材15を充填して仕上げることができる。
【００２０】
また、実施例上の効果として、スライド部材１３は上下の複数の石材パネル７の縦溝９に係入するから、１つのスライド部材１３を用いて複数の石材パネル７の左右をレール２に効率よく固定できる。
【００２１】
さらに、スライド部材13は上下の複数の石材パネル７，７，７，７の縦縁９，９，９，９に係入するから、１つのスライド部材13を用いて複数の石材パネル７，７，７，７の左右を効率よく位置決めできる。
【００２２】
【発明の効果】
請求項１の発明は、建築物の壁面に上下に間隔を置いて設けたレールと、これらレールの縁をスライド可能に挿入する溝を上下に形成した石材パネルと、それら上下のレール間に挿入した上下の石材パネル間の目地に充填された充填材とを備え、前記石材パネルの左右縁に縦溝を形成し、左右方向に隣合う上下の複数の石材パネルの前記縦溝にスライド部材を挿入し、左右の石材パネル間の目地に充填材を充填し、前記レールに前記スライド部材を挿通する孔を設けたものであり、石材パネルを安定して固定することができ、作業性に優れた石材パネルの取り付け構造を提供することができる。
【００２３】
また、このように本実施例では、請求項３に対応して、レール２にスライド部材13を挿通する挿通係止部たる係止孔14を設けたから、レール２の係止孔14にスライド部材13を挿通することにより、該スライド部材13をレール２に係止することができ、石材パネル７の左右を簡便に固定することができる。
【００２５】
尚、本発明は上記実施例に限定されるものではなく、本発明の要旨の範囲内において、種々の変形実施が可能である。例えば、石材パネルは各種の石を用いることができ、また、前面のみが石材のものでもよい。
【００２６】
【発明の効果】
請求項１の発明は、建築物の壁面に上下に間隔を置いて設けたレールと、これらレールの縁をスライド可能に挿入する溝を上下に形成した石材パネルと、それら上下のレール間に挿入した上下の石材パネル間の目地に充填された充填材とを備え、前記石材パネルの左右縁に縦溝を形成し、左右方向に隣合う上下の複数の石材パネルの前記縦溝にスライド部材を挿入し、左右の石材パネル間の目地に充填材を充填したものであり、石材パネルを安定して固定することができ、作業性に優れた石材パネルの取付構造を提供することができる。
【００２７】
また、請求項２の発明は、前記レールは、前記壁面に固定する固定フランジ部と、この固定フランジ部と平行に設けられた外フランジ部と、前記固定フランジ部と前記外フランジ部とを連結する前後方向のウエブ部とを備え、前記外フランジ部の縁が前記溝にスライド可能に挿入され、前記ウエブ部に通気孔を穿設したものであり、石材パネルを安定して固定することができ、作業性に優れた石材パネルの取付構造を提供することができる。
【００２８】
また、請求項３の発明は、前記レールに前記スライド部材を挿通する挿通係止部を設けたものであり、石材パネルを安定して固定することができ、作業性に優れた石材パネルの取付構造を提供することができる。
【図面の簡単な説明】
【図１】本発明の一実施例を示す斜視図である。
【図２】本発明の一実施例を示す縦断面図である。
【図３】本発明の一実施例を示す充填材を充填した要部の縦断面図である。
【図４】本発明の一実施例を示す要部の縦断面図である。
【図５】本発明の一実施例を示すレールの平面図である。
【図６】本発明の一実施例を示すスライド部材を断面にしたレールと石材の平面図である。
【図７】本発明の一実施例を示す平断面図である。
【符号の説明】
１  壁面
２  レール
３  固定フランジ部
４  外フランジ部
５  ウエブ部
７  石材パネル
８  溝
９  縦溝
10  通気孔
11  目地
13  スライド部材
14  係止孔（挿通係止部）
15  充填材
16  目地
【図１】
0003822784.tif 000002
【図２】
0003822784.tif 000003
【図３】
0003822784.tif 000004
【図４】
0003822784.tif 000005
【図５】
0003822784.tif 000006
【図６】
0003822784.tif 000007
【図７】
0003822784.tif 000008